(57)【特許請求の範囲】
【請求項１】
筐体の表面から突出する台座と、
前記台座の上面中央に配置される平坦面と、
前記台座の上面外縁に配置され、いずれもが同じ回転方向へ傾斜する複数個の傾斜面と、
前記平坦面及び前記傾斜面の上面を覆う接着剤と、
前記接着剤を介して前記台座に接合された光学素子と、
を有する光ピックアップ。
【請求項２】
請求項１に記載の光ピックアップにおいて、
前記台座の上面外縁における前記接着剤の厚みが、前記台座の外周に沿って複数回変化する
ことを特徴とする光ピックアップ。
【請求項３】
請求項１に記載の光ピックアップにおいて、
前記複数個の傾斜面は、前記台座の中心を通る法線に対して複数回対称である
ことを特徴とする光ピックアップ。
【請求項４】
請求項２に記載の光ピックアップにおいて、
前記複数個の傾斜面は、前記台座の中心を通る法線に対して複数回対称である
ことを特徴とする光ピックアップ。
【請求項５】
請求項１に記載の光ピックアップにおいて、
前記台座は、円柱又は正四角柱である
ことを特徴とする光ピックアップ。
【請求項６】
筐体の表面から突出する台座と、
前記台座の上面中央に配置される平坦面と、
前記台座の上面外縁に配置される複数個の細長い凹み（ただし、前記台座に対して鏡像対称に配置されたものを除く）と、
前記平坦面と前記細長い凹みの上面を覆う接着剤と、
前記接着剤を介して前記台座に接合された光学素子と、
を有する光ピックアップ。
【請求項７】
請求項６に記載の光ピックアップにおいて、
前記台座の上面外縁における前記接着剤の厚みが、前記台座の外周に沿って複数回変化する
ことを特徴とする光ピックアップ。
【請求項８】
請求項６に記載の光ピックアップにおいて、
前記複数個の傾斜面は、前記台座の中心を通る法線に対して複数回対称である
ことを特徴とする光ピックアップ。
【請求項９】
請求項７に記載の光ピックアップにおいて、
前記複数個の傾斜面は、前記台座の中心を通る法線に対して複数回対称である
ことを特徴とする光ピックアップ。
【請求項１０】
請求項６に記載の光ピックアップにおいて、
前記台座は、円柱又は正四角柱である
ことを特徴とする光ピックアップ。
【請求項１１】
装置本体と、
光ディスクを回転させるスピンドルモータと、
前記光ディスクに情報を記録する又は前記光ディスクから情報を再生する光ピックアップと、を有し、
前記光ピックアップは、
筐体の表面から突出する台座と、
前記台座の上面中央に配置される平坦面と、
前記台座の上面外縁に配置され、いずれもが同じ回転方向へ傾斜する複数個の傾斜面と、
前記平坦面及び前記傾斜面の上面を覆う接着剤と、
前記接着剤を介して前記台座に接合された光学素子と、を有する
ことを特徴とする光ディスク装置。
【請求項１２】
請求項１１に記載の光ディスク装置において、
前記台座の上面外縁における前記接着剤の厚みが、前記台座の外周に沿って複数回変化する
ことを特徴とする光ディスク装置。
【請求項１３】
請求項１１に記載の光ディスク装置において、
前記複数個の傾斜面は、前記台座の中心を通る法線に対して複数回対称である
ことを特徴とする光ディスク装置。
【請求項１４】
請求項１１に記載の光ディスク装置において、
前記台座は、円柱又は正四角柱である
ことを特徴とする光ディスク装置。
【請求項１５】
装置本体と、
光ディスクを回転させるスピンドルモータと、
前記光ディスクに情報を記録する又は前記光ディスクから情報を再生する光ピックアップと、を有し、
前記光ピックアップは、
筐体の表面から突出する台座と、
前記台座の上面中央に配置される平坦面と、
前記台座の上面外縁に配置される複数個の細長い凹み（ただし、前記台座に対して鏡像対称に配置されたものを除く）と、
前記平坦面と前記細長い凹みの上面を覆う接着剤と、
前記接着剤を介して前記台座に接合された光学素子と、を有する
ことを特徴とする光ディスク装置。
【請求項１６】
請求項１５に記載の光ディスク装置において、
前記台座の上面外縁における前記接着剤の厚みが、前記台座の外周に沿って複数回変化する
ことを特徴とする光ディスク装置。
【請求項１７】
請求項１５に記載の光ディスク装置において、
前記複数個の傾斜面は、前記台座の中心を通る法線に対して複数回対称である
ことを特徴とする光ディスク装置。
【請求項１８】
請求項１５に記載の光ディスク装置において、
前記台座は、円柱又は正四角柱である
ことを特徴とする光ディスク装置。
【発明の詳細な説明】
【技術分野】
【０００１】
本発明は、レーザ光を用いて光ディスクに情報を記録する又は光ディスクから情報を再生する光ディスク装置と、その光ピックアップに関する。
【背景技術】
【０００２】
光ピックアップは、回転している光ディスク上の目的のデータトラックに対物レンズの焦点位置を追従させて、データを記録又は再生する光ディスク装置の主要部品である。光ピックアップには、(1) 半導体レーザから照射された出射光をディスク上に集光すると共に、光ディスクからの戻り光を光検出器に導く光学素子群と、(2) 対物レンズの焦点位置をフォーカシング方向とトラッキング方向に移動させるアクチュエータとが搭載されている。これらの搭載部品は、接着剤を用いて筐体に接合されている。
【０００３】
半導体レーザから照射された出射光は、回折格子を通ることで３つのビームに分離され、その後、ビームスプリッタプリズム（以下「プリズム」という。）に入射する。プリズムへ入射した出射光は、直角に折り曲げられた後、コリメートレンズを通過して平行光束となり、立ち上げミラーに入射する。立ち上げミラーへ入射した出射光は、再び直角に折り曲げられた後、対物レンズに入射して光ディスク上に集光する。光ディスク上のデータトラックにより回折、反射した戻り光は、往路と同じ光路を進行し、コリメートレンズによって収束光束に変換される。収束光束に変換された戻り光は、プリズムとシリンドリカルレンズを透過して光検出器上の受光面に入射する。受光面に入射した戻り光は、明暗に応じた電気信号に変換され、その電気信号を用いて再生信号や誤差信号が生成される。
【０００４】
光ピックアップには、低温から高温までの幅広い動作環境に渡り、記録時や再生時の各品質を損ねないための信頼性が求められる。ところが、環境温度が変化すると、搭載部品や筐体に加え、接着剤の熱膨張又は収縮により、光学素子に変位や傾きが生じ易くなる。特に、プリズムや立ち上げミラーの傾きは、対物レンズへ入射する光を傾けるため、光ディスク上での集光点の位置をずらす原因となる。光ディスク上における集光点と対物レンズの焦点との“ずれ”は、対物レンズの焦点のデータトラックに対する“ずれ”として認識され、対物レンズの焦点をトラックに対して蛇行させる。この対物レンズの焦点の蛇行は、対物レンズの焦点位置決め制御系の安定性や精度に影響を与え、記録／再生性能を劣化させる可能性がある。
【０００５】
このような問題を解決する光学素子の接合構造の例が、特許文献１に記載されている。当該文献に記載のプリズムユニットは、(1) プリズムの下面と当接する３つ以上の円形の座面と、(2) プリズムの下面を接着剤で接合するための１つの接着部とを、それぞれがプリズムの反射面に対して鏡像対称となるように、台座上に設置している。これにより、環境温度が変化したときのプリズムと台座との熱膨張又は収縮の程度の差を、プリズムと座面との界面での滑動によって吸収し、プリズムと台座の相対的な傾きを抑えて、光学的性能の劣化を防止している。
【先行技術文献】
【特許文献】
【０００６】
【特許文献１】特開２００９−１３４２０９号公報
【発明の概要】
【発明が解決しようとする課題】
【０００７】
一般に、光ピックアップに搭載されている部品の材料は様々であり、部品によって環境温度が変化したときの伸縮の程度が異なる。そのため、搭載部品によって筐体の自由な熱膨張又は収縮が妨げられ、その結果、筐体に反りやねじれが生じてしまう。上記先行技術では、プリズムと筐体との相対的な傾きを抑えることができるが、筐体の反りや捻じれに倣い、プリズムに傾きが生じる可能性がある。
【０００８】
そこで、本発明者は、環境温度の変化に伴って筐体が反ったり捻じれたりした場合でも、プリズムの回転方向の傾きを自律的に抑え、安定した記録又は再生動作を可能とする光ピックアップ及び光ディスク装置を実現する。
【課題を解決するための手段】
【０００９】
上記課題を解決するために、本発明は、例えば特許請求の範囲に記載の構成を採用する。本明細書は上記課題を解決する手段を複数含んでいるが、その一例を挙げるならば、「筐体の表面から突出する台座と、前記台座の上面中央に配置される平坦面と、前記台座の上面外縁に配置され、いずれもが同じ回転方向へ傾斜する複数個の傾斜面と、前記平坦面及び前記傾斜面の上面を覆う接着剤と、前記接着剤を介して前記台座に接合された光学素子と、を有する光ピックアップ」である。
【００１０】
また、他の一例を挙げるならば、「筐体の表面から突出する台座と、前記台座の上面中央に配置される平坦面と、前記台座の上面外縁に配置される複数個の細長い凹み（ただし、前記台座に対して鏡像対称に配置されたものを除く）と、前記平坦面と前記細長い凹みの上面を覆う接着剤と、前記接着剤を介して前記台座に接合された光学素子と、を有する光ピックアップ」である。
【発明の効果】
【００１１】
本発明によれば、環境温度の変化に伴って筐体が反ったり捻じれたりした場合でも、当該反りや捻じれに起因するプリズムの回転方向の傾きを打消すことができ、光ピックアップによる安定した記録／再生動作を実現できる。前述した以外の課題、構成及び効果は、以下の実施の形態の説明により明らかにされる。
【図面の簡単な説明】
【００１２】
【図１】光ディスク装置の概略構造を示す分解斜視図（実施例１）。
【図２】光ピックアップの概略構成を示す斜視図（実施例１）。
【図３】プリズムの接着接合部を説明する斜視図（実施例１）。
【図４】台座の上面形状を拡大して示す斜視図（実施例１）。
【図５】プリズムの接着接合部を示す側面図（実施例１）。
【図６】プリズムと、台座と、それらの間に充填されている接着剤の高温環境下での熱変形の様子と、プリズムの接着界面に作用する周方向の熱応力の関係を説明する図（実施例１）。
【図７】光ピックアップの高温環境下での熱変形を、変形量を拡大して示す斜視図（実施例１）。
【図８】プリズムの接着接合部の高温環境下での熱変形を、変形量を拡大して示す上方図（実施例１）。
【図９】プリズムの接合構造に先行技術を適用した光ピックアップにおける、プリズムの接着接合部の高温環境下での熱変形を、変形量を拡大して示した上方図。
【図１０】台座の上面形状を拡大して示す斜視図（実施例２）。
【図１１】プリズムと、台座と、それらの間に充填されている接着剤の高温環境下での熱変形の様子と、プリズムの接着界面に作用する周方向の熱応力の関係を示す平面図（実施例２）。
【図１２】台座の上面形状を拡大して示す斜視図（実施例３）。
【図１３】プリズムと、台座と、それらの間に充填されている接着剤の高温環境下での熱変形の様子と、プリズムの接着界面に作用する周方向の熱応力の関係を示す平面図（実施例３）。
【図１４】不適切な台座の形状を説明する斜視図。
【発明を実施するための形態】
【００１３】
以下、図面に基づいて、本発明の実施の形態を説明する。なお、本発明の実施の態様は、後述する形態例に限定されるものではなく、その技術思想の範囲において、種々の変形が可能である。
【００１４】
（１）実施例１
図１に、光ディスク装置１の分解構造を示す。光ディスク装置１は、主に装置本体を構成するフレームとしてのメインボディ２と、メインボディ２の上面を覆うトップカバー３と、ボトムカバー４と、光ディスクを装置内に搬入する又は装置から搬出するためのディスクトレー５とを有している。メインボディ２には、ディスクトレー５を保持するための不図示のロック機構と、ディスクトレー５をガイドレール６に沿って搬出入する不図示のローディング機構と、各電子部品の駆動制御および信号処理を行う回路基板７が搭載されている。
【００１５】
図１の場合、ディスクトレー５にはメカシャーシ８が取り付けられている。メカシャーシ８の前方正面にはフロントカバー９が取り付けられている。メカシャーシ８には、光ディスクを保持して回転させるためのスピンドルモータ１０と、レーザ等からの光をレンズにより集光してディスク上に照射しディスク上に情報を記録又は再生する光ピックアップ１１が搭載されている。光ピックアップ１１の詳細構成については後述する。図１では、不図示の光ディスクの半径方向、ディスク円周の接線方向、及び、不図示の対物レンズ（後述する）の光軸方向を、それぞれｘ軸、ｙ軸、ｚ軸で表している。他の図面についても同じである。
【００１６】
図２に、光ピックアップ１１の詳細構成を示す。図２は、プリズム接合構造を適用する光ピックアップ１１の構成を示している。勿論、光ピックアップ１１の構造は、他の構造でもよい。光ピックアップ１１の筐体２０には、前述したように様々な搭載部品が接着剤を介して接合されている。例えば筐体２０には、半導体レーザ２１から照射される出射光を光ディスク上に集光すると共に、光ディスクからの戻り光を光検出器２８へ導く光学素子群と、対物レンズ２６をｘ方向とｚ方向に移動させるためのアクチュエータとが搭載されている。
【００１７】
ここでの光学素子群には、(1) 出射光の光路を折り曲げるプリズム２３、(2) 不図示の立ち上げミラー、(3) 出射光を光ディスクに集光させるコリメートレンズ２４、(4) 対物レンズ２６、(5) 対物レンズ２６の焦点の位置決め制御に用いる誤差信号を生成する回折格子２２、(6) シリンドリカルレンズ２７などが含まれる。アクチュエータには、(1) 磁界を形成するための永久磁石３１、(2) ヨーク３２、(3) 対物レンズ２６を保持する可動のレンズホルダ３３と、(4) レンズホルダ３３を弾性支持する固定部３４などが含まれる。これらの搭載部品は、いずれも接着剤３０を介して射出成型やダイカストで成形された筐体２０に接合されている。
【００１８】
図３に、プリズム２３と筐体２０との接着接合部を拡大して示す。すなわち、台座２０１の上面形状を拡大した図を示す。図３に示すように、プリズム２３は、筐体２０の表面から突出する台座２０１の上面に接着剤３０を介して接合されている。図４に、台座２０１の拡大斜視図を示し、図５に、台座２０１の側面図（ｙ方向から見た図）を示す。
【００１９】
図４の説明に戻る。図４に示すように、本実施例の台座２０１は、上面中央に平坦面２０１４を有する円柱であり、その上面外縁には周方向（図４では反時計回り）に沿って角度α１だけ傾いた傾斜面２０１１がｚ軸（台座２０１の中心を通る法線）に対して４つ形成されている。本実施例の場合、４つの傾斜面２０１１は同一形状を有し、台座２０１の中心を通る法線に対して複数回対称となるように台座２０１上に形成されている。
【００２０】
接着剤３０は、この４つの傾斜面２０１１と平坦面２０１４の上面を覆うように塗布され、図５に示すように、プリズム２３と台座２０１との間に形成される空間を充填する。傾斜面２０１１は、反時計方向に傾斜しているため、充填された接着剤３０の外周部の厚みは、傾斜面２０１１の傾斜方向に沿って徐々に厚くなり、終端（次の傾斜面２０１１の始端）２０１３において急峻に薄くなる。接着剤３０は、この変化を反時計回りに繰り返す。なお、傾斜面２０１１の傾斜方向と角度αの大きさは、環境温度の変化により想定されるプリズム２３の回転方向のずれの向きと量を打ち消すことができる方向と角度に設定される。
【００２１】
以下、前述した形状を有する台座２０１を用いることにより得られる効果を、先行技術と比較して説明する。図６は、プリズム２３と、台座２０１と、それらの間に充填されている接着剤３０のそれぞれにおける高温環境下での熱変形の様子と、プリズム２３の接着界面に作用する周方向の熱応力Ｆ１を示す平面図である。接着剤３０の熱膨張量は、筐体２０やプリズム２３のそれに比べて大きいため、環境温度が高くなると、接着剤３０は膨張しようとする。一方で、筐体２０とプリズム２３はｚ方向の両面側から接着剤３０の膨張を抑制しようとする。
【００２２】
接着剤３０の厚さが厚い部分は、筐体２０による拘束を受けづらいため、周囲よりも厚さ方向と外周方向の両方に膨張しようとし、プリズム２３はその膨張を抑制する。その結果、プリズム２３の接着界面のうち、特に接着剤３０の厚さが不連続に変化する傾斜面２０１１どうしの境界部分（すなわち端部２０１３）に周方向の熱応力Ｆ１が作用する。この周方向の熱応力Ｆ１により、z軸に対して時計回りのモーメントが発生する。この結果、プリズム２３は、筐体２０の台座２０１に対して時計回りにψ１だけ傾く。
【００２３】
図７は、本実施例における光ピックアップ１１の高温環境下での熱変形を、変形量を拡大して示した斜視図である。図８は、図７のプリズム２３の接着接合部を拡大して示す上方図である。図９は、プリズム２３の接合構造に先行技術を用いる場合におけるプリズム２３の接着接合部の高温環境下での熱変形を、変形量を拡大して示した上方図である。図８と図９中の破線は、いずれも常温環境下の筐体２０とプリズム２３の外形を表す。
【００２４】
光ピックアップ１１の搭載部品を構成する材料は、(1) ヨーク３２の鋼板、(2) プリズム２３や立ち上げミラー等の光学ガラス、(3) 固定部３４、(4) レンズホルダ３３、(5) 各種レンズに使用されるプラスチック等様々であり、材料ごとに環境温度が上昇したときの膨張量が異なる。そのため、固定部３４の熱膨張によって筐体２０はｙ軸回りにねじれたり、半導体レーザ２１によって筐体２０の熱膨張が妨げられたりして変形する。
【００２５】
このとき、筐体２０のプリズム接合部は、図７及び図８に示すように、ｚ軸に対して反時計回りにθだけ反る。一方で、前述した熱応力Ｆ１により、高温環境下において、プリズム２３は台座２０１に対して時計回りに対してψ１だけ傾く。この傾きψ１により、筐体２０の反りθに倣ったプリズム２３の傾きは、(θ-ψ１)まで低減される。
【００２６】
一方、プリズム２３の接合構造に先行技術を適用する場合（図９）、プリズム２３と筐体２０との相対傾きが発生しない反面、プリズム２３は、筐体２０の反りθに倣って、θとほぼ同じθ０だけｚ軸を回転中心に傾いてしまう。このように、本実施例で説明する上面構造を有する台座２０１を用いることで、先行技術に比して、高温環境下におけるプリズム２３のずれを非常に小さくすることができる。
【００２７】
なお、本実施例では台座２０１の上面にｚ軸に対して反時計回りに角度α１で傾斜する（下る）傾斜面２０１１を４つ配置したが、時計回りに角度α１で傾斜する（下る）逆向きの傾斜面２０１１を台座２０１の上面に４つ配置することもできる。この場合には、高温環境下において反時計回りの熱応力Ｆ１を発生でき、プリズム２３をｚ軸に対して反時計回りに傾けることができる。従って、環境温度の上昇に伴って筐体２０の台座２０１の部分に生じる反りの方向を予め把握し、その反りの方向に応じて台座２０１に設置する傾斜面２０１１の方向（必要に応じて角度α１）を適正に選定することにより、筐体２０の反りに倣うプリズム２３の傾きの大きさを先行技術に比して低減することができる。
【００２８】
また、本実施例では台座２０１の上面に４つの傾斜面２０１１を配置しているが、傾斜面２０１１の個数は４つに限らず、複数個であれば同様の効果が得られる。以上により、安定した記録／再生動作が可能な光ピックアップ１１を提供することができる。
【００２９】
さらに望ましくは、複数個の傾斜面２０１１をｚ軸（台座２０１の中心を通る法線）に対して複数回対称になるように配置するとよい。換言すると、台座２０１が、その中心を通る法線（ｚ軸）に対して複数回対称になる形状を有するように形成するとよい。この場合、環境温度の変化に伴ってプリズム２３の接着界面に作用する熱応力Ｆ１もｚ軸回りの複数回対称性を有することになり、プリズム２３をｘ軸及びｙ軸回りに傾けようとするモーメントの発生が抑制され、プリズム２３がｘ軸及びｙ軸回りに傾くのを防止できる。したがって、より安定した記録／再生動作が可能な光ピックアップ１１を提供することができる。
【００３０】
（２）実施例２
図１０及び図１１を用いて、第２の実施例に係る台座２０２の構造を説明する。図１０は、プリズム２３を接着接合する台座２０２の上面形状を拡大して示す図である。台座２０２は、上面中央に平坦面２０２４を有する四角柱であるが、実施例１の場合と同様、台座２０２の上面外縁には、角度α２の傾斜面２０２１がｚ軸（台座２０２の中心を通る法線）に対して反時計回りに４つ配置されている。
【００３１】
そのため、本実施例においても、プリズム２３と台座２０２の間に充填されている接着剤３０の外周部の厚みは、傾斜面２０２１の傾斜方向に沿って徐々に厚くなり、傾斜面２０２１の終端（次の傾斜面２０１１の始端）２０２３において急峻に薄くなる変化を反時計回りに繰り返す。また、台座２０２の上面を四角形にすることで、プリズム２３の外形まで接着面積を拡大でき、その分、プリズム２３の接着信頼性を高めることができる。
【００３２】
図１１は、プリズム２３と、台座２０２と、それらの間に充填されている接着剤３０のそれぞれにおける高温環境下での熱変形の様子と、プリズム２３の接着界面に作用する周方向の熱応力Ｆ２を示す平面図である。本実施例の場合も、実施例１と同様の理由により、プリズム２３の接着界面のうち、特に接着剤３０の厚さが不連続に変化する傾斜面２０２１どうしの境界部分（すなわち端部２０２３）に周方向の熱応力Ｆ２が作用する。この周方向の熱応力Ｆ２によるモーメントによって、プリズム２３はｚ軸に対して時計回りにψ２だけ傾く。この傾きψ２により、環境温度が上昇した時に、搭載部品によって筐体２０に搭載された台座２０２がｚ軸に対して反時計回りに反った場合でも、この筐体２０の反りに倣ったプリズム２３の傾きを（θ−ψ２）まで低減することができる。
【００３３】
なお、本実施例では、台座２０２の上面にｚ軸に対して反時計回りに角度α２で傾斜する（下る）傾斜面２０２１を４つ配置したが、本実施例においても傾斜面２０２１の数は複数個であれば同様の効果が得られる。以上により、接着信頼性を高めた実施例２においても、安定した記録／再生動作が可能な光ピックアップを提供できる。
【００３４】
さらに望ましくは、台座２０２の形状を正四角柱とし、複数個の傾斜面２０２１をｚ軸（台座２０２の中心を通る法線）に対して複数回対称に配置するとよい。換言すると、台座２０２が、その中心を通る法線（ｚ軸）に対して複数回対称になる形状を有するように形成するとよい。この場合、環境温度の変化に伴ってプリズム２３の接着界面に作用する熱応力Ｆ２もｚ軸回りの複数回対称性を有することになり、プリズム２３をｘ軸及びｙ軸回りに傾けようとするモーメントの発生が抑制され、プリズム２３がｘ軸及びy軸回りに傾くのを防止できる。したがって、より安定した記録／再生動作が可能な光ピックアップを提供できる。
【００３５】
（３）実施例３
図１２及び図１３を用いて、第３の実施例に係る台座２０３の構造を説明する。図１２は、プリズム２３を接着接合する台座２０３の上面形状を拡大して示す図である。実施例３の台座２０３は、実施例２の場合と同じく、中央に平坦面２０３４を有する四角柱である。ただし、台座２０３の各辺には、周方向の長さがＬ３、幅がＷ３で与えられる細長い凹み２０３２が１つずつ配置されている。凹み２０３２は、いずれも台座２０３の底面から一定の高さを有しており、実施例１及び２のように傾斜面を有していない。台座２０３の外周に沿って、長さＬ３の長辺と幅Ｗ３の短辺とが交互に現れるように４つの凹み２０３２が配置されている。このため、平坦面２０３４の形状は凹多角形となる。
【００３６】
本実施例においても、プリズム２３と台座２０３の間に充填される接着剤３０の外周部の厚みは、凹み２０３２の配置位置毎に厚くなる変化を周方向に繰り返す。なお、台座２０３の外縁に配置する形状を図１２に示すような単純な凹み形状にすることで、筐体２０を成型するための金型の製造が容易になる。
【００３７】
図１３は、プリズム２３と、台座２０３と、それらの間に充填されている接着剤３０の高温環境下での熱変形と、プリズム２３の接着界面に作用する周方向の２種類の熱応力（熱応力Ｆ３及びｆ３）を示す平面図である。本実施例の場合も、先の実施例と同様の理由により、プリズム２３の接着界面のうち、特に接着剤３０の厚さが不連続に変化する凹み２０３２の内壁部分（平坦面２０３４との境界に位置する壁面）に、周方向に作用する２種類の熱応力Ｆ３及びｆ３が作用する。
【００３８】
前述したように、凹み２０３２は、長方形状（１辺が他辺より長い細長い形状）を有している（すなわち、Ｌ３＞Ｗ３）。そのため、長さＬ３を有する内壁部分に発生する周方向の熱応力Ｆ３の方が、幅Ｗ３を有する内壁部分に発生する周方向の熱応力ｆ３よりも大きくなる。本実施例では、４つの熱応力Ｆ３はいずれも時計回りに揃っている（熱応力ｆ３は反時計回りに揃っている）。
【００３９】
従って、これら熱応力Ｆ３及びｆ３の合成応力により、プリズム２３をｚ軸に対して時計回りに傾けるモーメントが発生する。このモーメントによるプリズム２３の傾きψ３により、環境温度が上昇して、筐体２０の台座２０３がｚ軸に対して反時計回りにθだけ反った場合でも、この筐体２０の反りに倣ったプリズム２３の傾きを（θ−ψ３）に低減することができる。よって、本実施例３のように単純な構造の台座２０３を用いる場合でも、安定した記録／再生動作が可能な光ピックアップを提供できる。
【００４０】
さらに望ましくは、台座２０３の形状を正四角柱とし、凹み２０３２をz軸（台座２０３の中心を通る法線）に対して複数回対称に設置するとよい。この場合、環境温度の変化に伴ってプリズム２３の接着界面に作用する熱応力もｚ軸回りの複数回対称性を有する。これにより、プリズム２３をｘ軸及びｙ軸回りに傾けようとするモーメントの発生が抑制され、プリズム２３がｘ軸及びｙ軸回りに傾くのを防止することができる。したがって、より安定した記録／再生動作が可能な光ピックアップを提供できる。
【００４１】
（４）不適切な例
最後に、台座の形状として不適切な例を説明する。図１４に、不適切な台座２０４の構造例を示す。この台座２０４は本体形状が円柱の場合であり、その上面に４つの凹み２０４２を配置した構成を有している。ただし、台座２０４は、鏡像対称である。このため、プリズム２３の接着界面に作用する周方向の熱応力も鏡像対称となり、前述の各実施例のようなプリズム２３をｚ軸回りに傾けるモーメントが発生せず、前述した実施例のような効果を奏することができない。台座の形状が正四角柱であっても同様である。
【００４２】
（５）他の実施例
本発明は、上述した実施例に限定されるものでなく、様々な変形例を含んでいる。例えば前述の実施例では、専らプリズム２３の接着接合に使用する部分の構造について説明したが、前述した構造はミラーその他の光学素子との接合に用いても良い。また、前述した接着接合構造を有する光学デバイスは、前述した光ピックアップだけでなく、投射型画像表示装置など他の光学装置にも適用することができる。
【００４３】
また、本発明の実現には、必ずしも前述した全ての構成を備える必要はない。また、ある実施例の一部を他の実施例の構成に置き換えることができる。また、ある実施例の構成に他の実施例の構成を加えることもできる。また、各実施例の構成の一部について、他の実施例の構成の一部を追加、削除又は置換することもできる。
【符号の説明】
【００４４】
１…光ディスク装置、
２…メインボディ、
３…トップカバー、
４…ボトムカバー、
５…ディスクトレー
６…ガイドレール、
７…回路基板、
８…メカシャーシ、
９…フロントカバー、
１０…スピンドルモータ、
１１…光ピックアップ、
２０…筐体、
２１…半導体レーザ、
２２…回折格子、
２３…プリズム、
２４…コリメートレンズ、
２６…対物レンズ、
２７…シリンドリカルレンズ、
２８…光検出器、
３０…接着剤、
３１…永久磁石、
３２…ヨーク、
３３…レンズホルダ、
３４…固定部、
２０１、２０２、２０３、２０４…台座、
２０１１、２０２１…傾斜面、
２０１３、２０２３…終端、
２０１４、２０２４、２０３４、２０４４…平坦面、
２０３２、２０４２…凹み、
α１、α２…傾斜の角度、
Ｌ３…凹みの長さ、
Ｗ３…凹みの幅、
θ…高温環境下での筐体の台座部分のｚ軸回りの反り、
θ０…高温環境下での筐体の台座部分の反りに倣ったプリズムのｚ軸回りの傾き、
ψ1、ψ2、ψ3…高温環境下でのプリズムの台座に対するｚ軸回りの傾き、
Ｆ１、Ｆ２、Ｆ３、ｆ３…高温環境下でプリズムの接着界面に作用する周方向の熱応力、
ｘ…ディスクの半径方向、
ｙ…ディスク円周の接線方向、
ｚ…対物レンズの光軸方向。
【図１】
0006546515.tif 000002
【図２】
0006546515.tif 000003
【図３】
0006546515.tif 000004
【図４】
0006546515.tif 000005
【図５】
0006546515.tif 000006
【図６】
0006546515.tif 000007
【図７】
0006546515.tif 000008
【図８】
0006546515.tif 000009
【図９】
0006546515.tif 000010
【図１０】
0006546515.tif 000011
【図１１】
0006546515.tif 000012
【図１２】
0006546515.tif 000013
【図１３】
0006546515.tif 000014
【図１４】
0006546515.tif 000015